(57)【要約】【課題】  所望の車両情報を少ない操作で表示でき利便性の良い車両用表示装置を提供する。【解決手段】  車両に搭載され複数の車両情報を表示する表示手段３と、操作者の押し圧操作に応じて信号を発する操作スイッチ１と、操作スイッチ１からの信号に基づいて前記車両情報を切り換え表示するように表示手段３を制御する制御手段２と、を備えてなる車両用表示装置であって、制御手段２は、表示手段３に所定の車両情報を表示中において、操作スイッチ１からの信号に基づいて操作スイッチ１が所定時間以上操作された状態であるか否かを判定する長押し判定処理と、この判定結果に基づいて、操作スイッチ１が所定時間以上操作された場合には、複数の車両情報を順次スクロール表示してなる。【選択図】  図１
2009137464.tif 000002
【特許請求の範囲】
【請求項１】
車両に搭載され複数の車両情報を表示する表示手段と、操作者の押し圧操作に応じて信号を発する操作スイッチと、前記操作スイッチからの信号に基づいて前記車両情報を切り換え表示するように前記表示手段を制御する制御手段と、を備えてなる車両用表示装置であって、
前記制御手段は、前記表示手段に所定の車両情報を表示中において、
前記操作スイッチからの信号に基づいて前記操作スイッチが所定時間以上操作された状態であるか否かを判定する長押し判定処理と、
この判定結果に基づいて、前記操作スイッチが所定時間以上操作された場合には、複数の車両情報を順次スクロール表示してなることを特徴とする車両用表示装置。
【請求項２】
前記制御手段は、前記長押し判定処理によって、予め定められた車両情報についてのみ順次画面を切り換えてスクロール表示してなることを特徴とする請求項１に記載の車両用表示装置。
【発明の詳細な説明】
【技術分野】
【０００１】
本発明は、車両用表示装置に関し、例えば、表示パネルと操作スイッチとをインストルメントパネルに設けてなり、複数の車両情報を表示する車両用表示装置に好適である。
【背景技術】
【０００２】
従来、車両用表示装置は、車両のインストルメントパネルにおいて、運転者が視認可能な位置に設けられている。この車両用表示装置は、車両の走行速度やエンジン回転数の他に、車両の積算走行距離を表示するオドメータやトリップメータ、外気温度や燃費などの車両情報を表示するための液晶ディスプレイなどの表示パネルを用いるものがある。これらの車両用表示装置は、スイッチなどの入力手段を用いてこれらの車両情報を切り換え表示させることによって、複数の車両情報の項目を一箇所の表示位置に選択的に表示させるようにしている（例えば、特許文献１に記載）。
【特許文献１】特開平７−１５６６９０号公報
【発明の開示】
【発明が解決しようとする課題】
【０００３】
しかしながら、上述した従来の車両用表示装置にあっては、多種類の車両情報について選択的に表示させる場合には、運転者が所望の車両情報を表示させるまでに、表示パネルの表示を確認しながらスイッチを何度も操作しなくてはならない。特に、車両情報の選択肢が多い場合には、この選択作業が煩雑なものになってしまうという問題があった。
【０００４】
そこで本発明の目的とするところは、上述した問題に着目してなされたものであって、所望の車両情報を少ない操作で表示でき利便性の良い車両用表示装置を提供することにある。
【課題を解決するための手段】
【０００５】
本発明の車両用表示装置は、請求項１に記載したように、車両に搭載され複数の車両情報を表示する表示手段と、操作者の押し圧操作に応じて信号を発する操作スイッチと、前記操作スイッチからの信号に基づいて前記車両情報を切り換え表示するように前記表示手段を制御する制御手段と、を備えてなる車両用表示装置であって、前記制御手段は、前記表示手段に所定の車両情報を表示中において、
前記操作スイッチからの信号に基づいて前記操作スイッチが所定時間以上操作された状態であるか否かを判定する長押し判定処理と、この判定結果に基づいて、前記操作スイッチが所定時間以上操作された場合には、複数の車両情報を順次スクロール表示してなることを特徴とする。
【０００６】
また、請求項２に記載したように、請求項１に記載の車両用表示装置において、前記制御手段は、前記長押し判定処理によって、予め定められた車両情報についてのみ順次画面を切り換えてスクロール表示してなることを特徴とする。
【発明の効果】
【０００７】
本発明は、車両に搭載され複数の車両情報を表示する表示手段と、操作者の押し圧操作に応じて信号を発する操作スイッチと、前記操作スイッチからの信号に基づいて前記車両情報を切り換え表示するように制御する制御手段と、を備えてなる車両用表示装置に関し、所望の車両情報を少ない操作で表示でき利便性の良い車両用表示装置となる。
【発明を実施するための最良の形態】
【０００８】
以下、本発明が適用された実施の形態について添付図面を用いて説明する。
【０００９】
本発明の車両用表示装置を車両に搭載される車両用計器に適用したものを例に挙げて説明する。車両用表示装置は、図１に示すように、操作スイッチ１と、制御手段２と、表示手段３と、から主に構成されている。なお、車両用計器は、この車両用表示装置の他に、エンジン回転数や走行速度を表示するための図示しない指針や文字板を用いた、所謂アナログ表示部を備えている。
【００１０】
操作スイッチ１は、表示手段３が表示している車両情報を操作者の押し圧操作に基づいて切り換えるための入力手段であり、前記押し圧操作に応じた信号を制御手段２に出力する。この場合、操作スイッチ１は、インストルメントパネルあるいはステアリングにおいて、表示手段３を視認しながら操作可能な位置に１個設けられて構成される。操作スイッチ１は、例えば、総積算走行距離表示の表示状態において、１回押し圧操作された場合、制御手段２による制御によって表示手段３の車両情報を、別の車両情報（例えば、区間走行距離）の表示に切り換えるためのスイッチである。
【００１１】
制御手段２は、例えば、マイクロコンピュータを適用でき、操作スイッチ１からの入力情報、または、図示しないがＣＡＮ（Ｃｏｎｔｒｏｌｌｅｒ  Ａｒｅａ  Ｎｅｔｗｏｒｋ）通信ケーブルを経由して別途車両に搭載されるＥＣＵからの走行速度などの各種情報を入力できるように接続される。
【００１２】
また、制御手段２は、操作スイッチ１からの信号や各種情報に基づいて演算処理するためのＣＰＵと、このＣＰＵにおける演算処理結果等を一時的に格納する読出し及び書換え可能なＲＡＭや、制御プログラムや制御データを格納したＲＯＭから構成される記憶部と、前記各種情報や制御信号、クロック信号やラッチ信号などをやり取りするためにバス接続された入出力インターフェイスと、を備えている。なお、制御手段２は、表示手段３を駆動するための駆動ドライバや、前記アナログ表示部を制御する指針制御部を設けている。
【００１３】
表示手段３は、車両のインストルメントパネルに設けられる車両用計器内において、制御手段２からの制御信号に基づいて表示するものであり、例えば、液晶表示パネルまたは有機ＥＬパネルを適用できる。この場合、表示手段３は、総積算走行距離や区間走行距離、車両外気温度、平均燃費値、瞬間燃費値などをゲージや数値などで切換表示するものである。なお、表示手段３は、制御信号に応じて回動する指針と、この指針の指示対象となる目盛りや数値等の指標と、を液晶表示パネルに表現することもできる。
【００１４】
以下、制御手段２による処理について図２，３を用いて説明する。
【００１５】
制御手段２は、表示手段３に表示中の車両情報が、所定の車両情報であるか否かを判定する（ステップＳ１）。この場合、所定の車両情報は、総積算走行距離や車両外気温度、瞬間燃費値など、計測値の初期化（リセット）操作の必要のない項目が設定される。
【００１６】
制御手段２は、所定の車両情報を表示中であると判定した場合（例えば、総積算走行距離を表示中）には、操作スイッチ１からの信号に基づいて、操作スイッチ１が押し圧されたか否かを判定する押し圧判定処理（ステップＳ２）を行う。この判定により操作スイッチ１が押し圧されたと判定した場合には、操作スイッチ１が押し圧判定処理から所定時間（例えば、２秒間）以上押し圧された状態（以下、長押しと記す）であるか否かを判定する長押し判定処理（ステップＳ３）を行う。
【００１７】
制御手段２は、この長押し判定処理の判定結果により、長押しではないと判定された場合（所定時間未満の押し圧操作の場合）には、現在表示している車両情報の表示から次なる車両情報（予め定められた順番に基づく次に用意された種類の車両情報）へ表示が切り換わるように表示手段３を制御する画面切り換え処理（ステップＳ４）を行う。例えば、制御手段２は、図３に示すような順にて画面切り換えを行い、総積算走行距離（ｏｄｏ）を表示している場合に、このステップＳ４の画面切り換え処理によって、区間走行距離（ｔｒｉｐ）へ表示が切り換わるように表示手段３を制御する。
【００１８】
また、制御手段２は、長押し判定処理の判定結果により、長押しされたと判定した場合には、複数の車両情報を予め定められた順（ステップＳ４の画面切り換え処理と同じ順）に一定時間（例えば、２秒）毎に順次画面を切り換えて表示するスクロール表示を行うように、表示手段３を制御する（ステップＳ５）。制御手段２は、例えば、総積算走行距離を表示中において、長押し操作がなされた場合には、区間走行距離、車両外気温度、平均燃費値、瞬間燃費値の順に２秒間隔でスクロール表示させるように表示手段３を制御する。
【００１９】
制御手段２は、ステップＳ５の処理によってスクロール表示がなされた場合には、スクロール表示のための処理を行うとともに、操作スイッチ１が再び操作されたか否かを判定する再押し圧判定処理（ステップＳ６）を行う。この判定結果により操作スイッチ１が操作された場合に、制御手段２は、スクロール表示（自動的な画面切り換え表示）を止めて、表示手段３に表示中の車両情報を表示するように表示制御する（ステップＳ７）。なお、制御手段２は、この場合、ステップＳ５の処理によってスクロール表示がなされてから、再び操作スイッチ１が操作されるまでの間スクロール表示するように制御するものを示したが、所定時間経過したらスクロール表示を止めるようにしてもよい。
【００２０】
以上の処理を繰り返すことによって、少ない押し圧操作にて所望の車両情報を表示させることができるため、利便性の良い車両用表示装置となる。
【００２１】
斯かる車両用表示装置は、車両に搭載され複数の車両情報を表示する表示手段３と、操作者の押し圧操作に応じて信号を発する操作スイッチ１と、操作スイッチ１からの信号に基づいて前記車両情報を切り換え表示するように表示手段３を制御する制御手段２と、を備えてなる車両用表示装置であって、制御手段２は、表示手段３に所定の車両情報を表示中において、操作スイッチ１からの信号に基づいて操作スイッチ１が所定時間以上操作された状態であるか否かを判定する長押し判定処理と、この判定結果に基づいて、操作スイッチ１が所定時間以上操作された場合には、複数の車両情報を順次スクロール表示してなる。
【００２２】
したがって、操作スイッチ１を繰り返し押し圧操作しなくても、長押し操作で順次画面が切り換わるため、少ない押し圧操作にて所望の車両情報を表示させることができ、利便性の良い車両用表示装置となる。
【００２３】
なお、本発明の車両用表示装置を上述した実施の形態の構成にて例に挙げて説明したが、本発明はこれに限定されるものではなく、他の構成においても、本発明の要旨を逸脱しない範囲において種々の改良、並びに設計の変更が可能なことは勿論である。例えば、予め定められた表示順ではなく、表示時間などの履歴情報を制御手段の記憶部に格納し、表示頻度の多い順にスクロール表示させてもよい。
また、長押し状態の時にスクロール表示し、この状態から押し圧操作を止めた時（スイッチオンからオフへ操作した時）にスクロール表示を止め、表示中の車両情報を表示するようにしてもよい。
【００２４】
また、制御手段２は、前記長押し判定処理によって、スクロール表示するための車両情報が予め設定され、この車両情報についてのみ順次画面を切り換えてスクロール表示することもできる。例えば、表示手段にて総積算走行距離を表示中に、操作スイッチ１が長押し操作された場合に、車両外気温度、平均燃費値の順に画面を切り換えるなど、通常の画面切換操作と異なる順にスクロール表示させることもできる。
【図面の簡単な説明】
【００２５】
【図１】本発明の実施の形態の構成を示すブロック図。
【図２】同上実施の形態の制御手段の処理手順を示す図。
【図３】同上実施の形態の表示手段における表示画面の遷移例を示す図。
【符号の説明】
【００２６】
１  操作スイッチ
２  制御手段
３  表示手段
【図１】
2009137464.tif 000003
【図２】
2009137464.tif 000004
【図３】
2009137464.tif 000005